(57)【特許請求の範囲】
【請求項１】
現像剤を収容する筐体と、
前記筐体に設けられ、外部から入力される回転駆動力によって回転する駆動入力部材と、
前記駆動入力部材から出力される回転駆動力を受けて回転する回転部材と、
前記回転部材に対して前記筐体と反対側において、前記回転部材における回転中心から外れた位置に設けられ、前記回転部材に対して起立した起立姿勢と倒伏した倒伏姿勢とに変位可能な被検出突起と、
前記被検出突起に当接し、前記被検出突起を前記倒伏姿勢から前記起立姿勢に変位させるためのカム部と、を含む、カートリッジ。
【請求項２】
前記被検出突起は、前記回転部材とともに回転するように構成され、前記回転部材の回転に連動して、前記カム部により前記倒伏姿勢から前記起立姿勢に変位される、請求項１に記載のカートリッジ。
【請求項３】
前記被検出突起は、前記回転部材から突出する本体部と、前記本体部の先端に設けられ、回動軸を中心に揺動可能な揺動部と、を有する、請求項１または２に記載のカートリッジ。
【請求項４】
前記被検出突起が前記倒伏姿勢をとるときに、前記揺動部は前記本体部に対して屈曲しており、前記被検出突起が前記起立姿勢をとるときに、前記揺動部は外方に延びている、請求項３に記載のカートリッジ。
【請求項５】
前記被検出突起は、前記回転部材の回転に伴い、前記揺動部が前記カム部から力を受けることにより、前記倒伏姿勢から前記起立姿勢に変位する、請求項４に記載のカートリッジ。
【請求項６】
前記筐体に取り付けられ、前記回転部材と対向するカバーを有し、
前記カム部は、前記カバーに設けられる、請求項１ないし５のいずれか一項に記載のカートリッジ。
【請求項７】
前記カム部は、前記回転部材の回転方向に延びる円弧形状を有する、請求項６に記載のカートリッジ。
【請求項８】
前記カバーは、前記カム部の延びる方向に延びる円弧形状の開口であって、前記被検出突起が通過する開口を有する、請求項７に記載のカートリッジ。
【請求項９】
前記駆動入力部材から出力される回転駆動力を前記回転部材に伝達するためのギヤを有し、
前記回転部材は、ギヤ歯部と、欠け歯部と、を有し、前記ギヤ歯部が前記ギヤと噛み合うように構成されるリセットギヤである、請求項１ないし８のいずれか一項に記載のカートリッジ。
【発明の詳細な説明】
【技術分野】
【０００１】
本発明は、レーザプリンタなどの画像形成装置用のカートリッジに関する。
【背景技術】
【０００２】
レーザプリンタの一例では、装置本体内に現像カートリッジが装着されている。現像カートリッジ内には、トナーが収容されている。現像カートリッジ内のトナーは、用紙への画像の形成に使われる。現像カートリッジ内のトナーがなくなると、その現像カートリッジが装置本体内から取り出されて、新品の現像カートリッジが装置本体内に装着される。また、装置本体内で用紙のジャムが発生したときに、装置本体内から現像カートリッジが取り出され、ジャムの解消後、その現像カートリッジが装置本体内に再び装着されることがある。
【０００３】
現像カートリッジの寿命などの判断のために、装置本体内に現像カートリッジが装着されたときに、現像カートリッジの新旧（新品であるか旧品であるか）が判別されるものが提案されている。
【０００４】
現像カートリッジの側面には、検出ギヤが当該側面と直交する方向に延びる軸線（回転軸線）を中心に回転可能に設けられている。検出ギヤは、板状の検出ギヤ本体と、検出ギヤ本体の外側（検出ギヤ本体に対して現像カートリッジの側面と反対側）に検出ギヤ本体と一体的に形成された当接突起とを備えている。検出ギヤ本体の周面には、その一部を除いて、ギヤ歯が形成されている。
【０００５】
また、現像カートリッジの側面には、伝達ギヤが検出ギヤの軸線と間隔を空けて平行に延びる軸線を中心に回転可能に設けられている。伝達ギヤは、現像カートリッジ内のトナーを攪拌するためのアジテータと一体的に回転する。伝達ギヤの周面には、その全周にわたって、ギヤ歯が形成されている。
【０００６】
新品の現像カートリッジでは、検出ギヤのギヤ歯に伝達ギヤのギヤ歯が噛合している。現像カートリッジが装置本体内に装着されると、伝達ギヤにモータの駆動力が入力され、その駆動力が伝達ギヤから検出ギヤにそれらのギヤ歯を介して伝達される。
【０００７】
これにより、検出ギヤが回転し、この検出ギヤの回転に伴って、当接突起が検出ギヤの回転方向に移動する。検出ギヤの回転が進み、検出ギヤの欠け歯部分が伝達ギヤのギヤ歯と対向すると、伝達ギヤのギヤ歯と検出ギヤのギヤ歯との噛合が解除され、検出ギヤの回転が停止する。したがって、現像カートリッジが一度でも装置本体内に装着されると、伝達ギヤのギヤ歯と検出ギヤのギヤ歯との噛合が解除され、以後はその状態が維持される。
【０００８】
装置本体内には、当接突起を被検出突起として、当接突起の通過を検出するセンサが設けられている。そして、そのセンサによる当接突起の通過の検出の有無に基づいて、現像カートリッジの新旧が判別される。すなわち、現像カートリッジが装置本体内に装着された後、センサにより当接突起の通過が検出されると、その現像カートリッジは新品であると判別される。一方、現像カートリッジが装置本体内に装着された後に、センサにより当接突起の通過が検出されない場合には、その現像カートリッジは旧品であると判別される。
【先行技術文献】
【特許文献】
【０００９】
【特許文献１】特開２００６−２６７９９４号公報
【発明の概要】
【発明が解決しようとする課題】
【００１０】
ところが、現像カートリッジの側面からの当接突起の突出量が大きいと、装置本体に対する現像カートリッジの着脱時に、当接突起が装置本体内の部材に擦れて摩耗するおそれがある。また、当接突起の突出量が大きいと、装置本体に対する現像カートリッジの着脱時に、当接突起が装置本体内の部材に当接したり、引っ掛かったりして、当接突起および／または装置本体内の部材が損傷するおそれもある。
【００１１】
本発明の目的は、被検出突起の摩耗を低減することができる、カートリッジを提供することである。
【課題を解決するための手段】
【００１２】
前記の目的を達成するため、本発明は、本体ケーシングに所定の着脱方向から着脱されるカートリッジであって、筐体と、前記筐体に設けられ、外部から入力される回転駆動力によって回転する駆動入力部材と、前記駆動入力部材から出力される回転駆動力を受けて回転する回転部材と、前記回転部材に対して前記筐体と反対側において、前記回転部材における回転中心から外れた位置に設けられ、前記回転部材に対して起立した起立姿勢と倒伏した倒伏姿勢とに変位可能な被検出突起とを備えることを特徴としている。
【発明の効果】
【００１３】
本発明によれば、筐体には、駆動入力部材が設けられている。駆動入力部材は、外部から入力される回転駆動力によって回転する。駆動入力部材が回転すると、駆動入力部材から回転駆動力が出力される。また、カートリッジには、駆動入力部材から出力される回転駆動力を受けて回転する回転部材が備えられている。
【００１４】
回転部材における回転中心から外れた位置に、被検出突起が設けられている。被検出突起は、回転部材に対して起立した起立姿勢と倒伏した倒伏姿勢とに変位可能である。
【００１５】
そのため、本体ケーシングに対するカートリッジの着脱時などに、被検出突起が倒伏姿勢をなしていれば、被検出突起が他の部材に接触することを低減でき、その接触による被検出突起の摩耗や損傷を低減できる。
【図面の簡単な説明】
【００１６】
【図１】図１は、本発明の一実施形態に係る現像カートリッジが装着されたレーザプリンタの断面図である。
【図２】図２は、現像カートリッジの左側面図であり、被検出突起が初期位置に位置する状態を示す。
【図３】図３は、図２に示される現像カートリッジの左端部の左後上方から見た斜視図である。
【図４】図４は、図２に示される現像カートリッジの左端部の左後上方から見た斜視図であり、ギヤカバーが取り外された状態を示す。
【図５】図５は、図２に示される切断線Ａ−Ａにおける現像カートリッジの断面図である。
【図６】図６は、現像カートリッジの左側面図であり、被検出突起が初期位置と終着位置との間の中間位置に位置する状態を示す。
【図７】図７は、図６に示される現像カートリッジの左端部の左後上方から見た斜視図である。
【図８】図８は、図６に示される現像カートリッジの左端部の左後下方から見た斜視図である。
【図９】図９は、図６に示される切断線Ｂ−Ｂにおける現像カートリッジの断面図である。
【図１０】図１０は、現像カートリッジの左側面図であり、被検出突起が起立姿勢をなす状態を示す。
【図１１】図１１は、図１０に示される現像カートリッジの左端部の左前下方から見た斜視図である。
【図１２】図１２は、図１０に示される現像カートリッジの左端部の左前下方から見た斜視図であり、ギヤカバーが取り外された状態を示す。
【図１３】図１３は、現像カートリッジの左側面図であり、アクチュエータが検知姿勢をなす状態を示す。
【図１４】図１４は、現像カートリッジの左側面図であり、被検出突起が直線状部分に当接した状態を示す。
【図１５】図１５は、現像カートリッジの左側面図であり、被検出突起が終着位置に位置する状態を示す。
【図１６】図１６は、図１５に示される現像カートリッジの左側面図であり、ギヤカバーが取り外された状態を示す。
【図１７】図１７は、変形例に係る現像カートリッジの左側面図である。
【図１８】図１８は、変形例に係る構成（リセットギヤの欠け歯ギヤ部に代わる構成）を示す図解的な側面図である。
【発明を実施するための形態】
【００１７】
以下では、本発明の実施の形態について、添付図面を参照しつつ詳細に説明する。
１．レーザプリンタの全体構成
図１に示されるように、レーザプリンタ１は、本体ケーシング（装置本体）２を備えている。本体ケーシング２の正面側の側壁には、カートリッジ着脱口３が形成され、このカートリッジ着脱口３を開閉するフロントカバー４が設けられている。
【００１８】
なお、レーザプリンタ１の正面側は、前後方向における前側である。そして、平面上に載置されたレーザプリンタ１およびその本体ケーシング２内に装着された現像カートリッジ７（後述する）を前側から見て、レーザプリンタ１および現像カートリッジ７の上下左右を規定する。
【００１９】
本体ケーシング２内の中央より少し前側の位置には、プロセスカートリッジ５が装着されている。プロセスカートリッジ５は、フロントカバー４を開いた状態で、カートリッジ着脱口３を介して、本体ケーシング２内に装着され、また、本体ケーシング２内から離脱される。
【００２０】
プロセスカートリッジ５は、ドラムカートリッジ６と、そのドラムカートリッジ６に着脱自在に装着されるカートリッジの一例としての現像カートリッジ７とからなる。
【００２１】
ドラムカートリッジ６は、ドラムフレーム８を備えている。ドラムフレーム８の後端部には、感光ドラム９が回転可能に保持されている。また、ドラムフレーム８には、帯電器１０および転写ローラ１１が保持されている。帯電器１０および転写ローラ１１は、それぞれ感光ドラム９の上方および下方に配置されている。
【００２２】
ドラムフレーム８における感光ドラム９よりも前側の部分は、カートリッジ装着部１２とされている。現像カートリッジ７は、カートリッジ装着部１２に装着される。
【００２３】
現像カートリッジ７は、トナーを収容する筐体１３を備えている。筐体１３の内部には
、互いに連通するトナー収容室１４および現像室１５が前後に隣接して形成されている。
【００２４】
トナー収容室１４には、アジテータ１６が左右方向に延びるアジテータ回転軸線１７を中心に回転可能に設けられている。アジテータ１６の回転により、トナー収容室１４内に収容されているトナーが攪拌されつつ、トナー収容室１４から現像室１５へ送られる。
【００２５】
現像室１５には、現像ローラ１８および供給ローラ１９がそれぞれ左右方向に延びる現像回転軸線２０および供給回転軸線２１を中心に回転可能に設けられている。
【００２６】
現像ローラ１８は、その周面の一部が筐体１３の後端部から露出するように配置されている。現像カートリッジ７は、現像ローラ１８の周面が感光ドラム９の周面と接触するように、ドラムカートリッジ６に装着される。
【００２７】
供給ローラ１９は、その周面が現像ローラ１８の周面に対して前下方から接触するように配置されている。現像室１５内のトナーは、供給ローラ１９により現像ローラ１８の周面に供給され、現像ローラ１８の周面上に薄層となって担持される。
【００２８】
また、本体ケーシング２内には、プロセスカートリッジ５の上方に、レーザなどを備える露光器２２が配置されている。
【００２９】
画像形成時には、感光ドラム９が左側から見て時計回りに一定速度で回転される。感光ドラム９の回転に伴って、感光ドラム９の周面（表面）は、帯電器１０からの放電により、一様に帯電される。一方、露光器２２が画像データに基づいて制御され、露光器２２からレーザビームが出射される。たとえば、レーザプリンタ１は、パーソナルコンピュータ（図示せず）と接続されており、画像データは、パーソナルコンピュータからレーザプリンタ１に送信される。レーザビームは、帯電器１０と現像カートリッジ７との間を通り、一様に帯電された感光ドラム９の周面に照射され、感光ドラム９の周面を選択的に露光する。この露光により、感光ドラム９の露光された部分から電荷が選択的に除去され、感光ドラム９の周面に静電潜像が形成される。感光ドラム９の回転により、静電潜像が現像ローラ１８に対向すると、現像ローラ１８から静電潜像にトナーが供給され、静電潜像がトナー像に現像される。
【００３０】
本体ケーシング２の底部には、用紙Ｐを収容する給紙カセット２３が配置されている。給紙カセット２３の上方には、給紙カセット２３から用紙を送り出すためのピックアップローラ２４が設けられている。
【００３１】
また、本体ケーシング２内には、側面視Ｓ字状の搬送路２５が形成されている。この搬送路２５は、給紙カセット２３から感光ドラム９と転写ローラ１１との間を経由して、本体ケーシング２の上面に形成された排紙トレイ２６に至る。
【００３２】
感光ドラム９の周面上のトナー像は、転写ローラ１１に供給されるバイアスの作用により、感光ドラム９と転写ローラ１１との間を通過する用紙Ｐに転写される。
【００３３】
搬送路２５上には、転写ローラ１１に対して用紙Ｐの搬送方向の下流側に、定着器２７が設けられている。トナー像が転写された用紙Ｐは、搬送路２５を搬送されて、定着器２７を通過する。定着器２７では、加熱および加圧により、トナー像が画像となって用紙Ｐに定着される。こうして画像が形成された用紙Ｐは、搬送路２５をさらに搬送されて、排紙トレイ２６上に排出される。
２．現像カートリッジ
２−１．筐体
現像カートリッジ７の筐体１３は、図１，２に示されるように、左右方向に互いに間隔を空けて対向する第１側壁４１（図２参照）および第２側壁４２（図１参照）を備えている。
２−２．ギヤトレイン
左側の第１側壁４１の外側面（左側面）には、図２，３に示されるように、カバーの一例としてのギヤカバー４３が取り付けられている。このギヤカバー４３の内側には、図４に示されるように、ギヤトレイン４４が設けられている。ギヤトレイン４４には、駆動入力部材の一例としての入力ギヤ４５、現像ギヤ４６、供給ギヤ４７、中間ギヤ４８、伝達部材の一例としてのアジテータギヤ４９および回転部材の一例としてのリセットギヤ５０が含まれる。
２−２−１．入力ギヤ
入力ギヤ４５は、第１側壁４１の後端上部に配置されている。入力ギヤ４５は、左右方向に延びる入力ギヤ回転軸５１（図２参照）を中心に回転可能に設けられている。入力ギヤ回転軸５１は、第１側壁４１に回転不能に保持されている。
【００３４】
そして、図４に示されるように、入力ギヤ４５は、大径ギヤ部５２、小径ギヤ部５３およびカップリング部５４を一体的に有している。大径ギヤ部５２、小径ギヤ部５３およびカップリング部５４は、第１側壁４１側からこの順に並んでいる。
【００３５】
大径ギヤ部５２は、入力ギヤ回転軸５１と中心軸線が一致する円板状に形成されている。大径ギヤ部５２の周面には、その全周にわたって、多数のギヤ歯が形成されている。
【００３６】
小径ギヤ部５３は、入力ギヤ回転軸５１と中心軸線が一致する円板状をなし、大径ギヤ部５２よりも小径に形成されている。小径ギヤ部５３の周面には、その全周にわたって、多数のギヤ歯が形成されている。
【００３７】
カップリング部５４は、入力ギヤ回転軸５１と中心軸線が一致する円柱状をなし、小径ギヤ部５３の周面よりも小径の周面を有している。カップリング部５４の左側面には、結合凹部５５が形成されている。現像カートリッジ７が本体ケーシング２内に装着された状態で、結合凹部５５には、本体ケーシング２内に備えられる駆動出力部材５６（図３参照）の先端部が挿入される。
【００３８】
駆動出力部材５６は、左右方向に進退可能に設けられている。現像カートリッジ７が本体ケーシング２内に装着された状態で、駆動出力部材５６は、右方に進出し、その先端部が結合凹部５５に挿入される。これにより、駆動出力部材５６と結合凹部５５とが相対回転不能に結合される。よって、駆動出力部材５６が回転されると、駆動出力部材５６の回転力が駆動力として入力ギヤ４５に受けられ、駆動出力部材５６とともに入力ギヤ４５が回転する。
２−２−２．現像ギヤ
現像ギヤ４６は、図４に示されるように、入力ギヤ４５の後下方に配置されている。現像ギヤ４６は、現像ローラ１８が有する現像ローラ軸５７に相対回転不能に取り付けられている。現像ローラ軸５７は、第１側壁４１に対して回転可能に設けられており、その中心軸線が現像ローラ１８の回転軸線である現像回転軸線２０（図１参照）となる。現像ギヤ４６の周面には、その全周にわたって、ギヤ歯が形成されており、このギヤ歯は、入力ギヤ４５の大径ギヤ部５２のギヤ歯と噛合している。
２−２−３．供給ギヤ
供給ギヤ４７は、図４に示されるように、入力ギヤ４５の下方に配置されている。供給ギヤ４７は、供給ローラ１９（図１参照）が有する供給ローラ軸５８に相対回転不能に取り付けられている。供給ローラ軸５８は、第１側壁４１に対して回転可能に設けられており、その中心軸線が供給ローラ１９の回転軸線である供給回転軸線２１（図１参照）とな
る。供給ギヤ４７の周面には、その全周にわたって、ギヤ歯が形成されており、このギヤ歯は、入力ギヤ４５の大径ギヤ部５２のギヤ歯と噛合している。
２−２−４．中間ギヤ
中間ギヤ４８は、図４に示されるように、入力ギヤ４５の前上方に配置されている。中間ギヤ４８は、左右方向に延びる中間ギヤ回転軸５９の中心軸線を中心に回転可能に設けられている。中間ギヤ回転軸５９は、第１側壁４１に回転不能に保持されている。
【００３９】
そして、中間ギヤ４８は、図３に示されるように、相対的に小さい外径を有する円板状に形成された小径部６０と、相対的に大きい外径を有する円筒状に形成された大径部６１とを一体的に有している。小径部６０および大径部６１は、第１側壁４１側からこの順に並んでいる。小径部６０および大径部６１の各中心軸線は、中間ギヤ回転軸５９の中心軸線と一致している。
【００４０】
小径部６０の周面には、その全周にわたって、ギヤ歯が形成されている。
【００４１】
大径部６１の周面には、その全周にわたって、ギヤ歯が形成されている。大径部６１のギヤ歯は、入力ギヤ４５の小径ギヤ部５３のギヤ歯と噛合している。
２−２−５．アジテータギヤ
アジテータギヤ４９は、図４に示されるように、中間ギヤ４８の前下方に配置されている。アジテータギヤ４９は、アジテータ回転軸６２に相対回転不能に取り付けられている。アジテータ回転軸６２は、第１側壁４１および第２側壁４２（図１参照）を左右方向に貫通し、第１側壁４１および第２側壁４２に回転可能に保持されている。筐体１３内において、アジテータ回転軸６２には、アジテータ１６が取り付けられている。これにより、アジテータ１６およびアジテータギヤ４９は、アジテータ回転軸６２の中心軸線をアジテータ回転軸線１７（図１参照）として、アジテータ回転軸６２と一体的に回転可能になっている。
【００４２】
また、アジテータギヤ４９は、大径ギヤ部６４および小径ギヤ部６５を一体的に有している。
【００４３】
大径ギヤ部６４は、アジテータ回転軸６２と中心軸線が一致する円板状をなしている。大径ギヤ部６４の周面には、その全周にわたって、ギヤ歯が形成されている。この大径ギヤ部６４のギヤ歯は、中間ギヤ４８の小径部６０のギヤ歯と噛合している。
【００４４】
小径ギヤ部６５は、大径ギヤ部６４に対して第１側壁４１と反対側に形成され、アジテータ回転軸６２と中心軸線が一致する円板状をなし、大径ギヤ部６４よりも小径に形成されている。小径ギヤ部６５の周面には、その全周にわたって、ギヤ歯６６が形成されている。
２−２−６．リセットギヤ
リセットギヤ５０は、図４に示されるように、アジテータギヤ４９の前上方に配置されている。リセットギヤ５０は、図５に示されるように、左右方向に延びる回転軸６７を中心に回転可能に設けられている。回転軸６７は、第１側壁４１に回転不能に保持されている。
【００４５】
そして、リセットギヤ５０は、受動部の一例としての欠け歯ギヤ部６８と、円筒状の円筒状ボス６９とを一体的に備えている。
【００４６】
欠け歯ギヤ部６８は、回転軸６７と中心軸線が一致する円板状をなしている。欠け歯ギヤ部６８の周面には、その一部にギヤ歯７０が形成されている。具体的には、欠け歯ギヤ部６８の周面には、中心角が約１８５°をなす部分を欠け歯部分７１として、その欠け歯
部分７１以外の中心角が約１７５°をなす部分に、ギヤ歯７０が形成されている。ギヤ歯７０は、リセットギヤ５０の回転位置によって、アジテータギヤ４９の小径ギヤ部６５のギヤ歯６６と噛合する。
【００４７】
円筒状ボス６９は、欠け歯ギヤ部６８の左端面から左方に突出し、欠け歯ギヤ部６８と中心軸線が一致する円筒状をなしている。円筒状ボス６９には、回転軸６７が相対回転可能に挿通される。これにより、リセットギヤ５０は、回転軸６７を支点に回転可能に支持されている。
２−３．被検出突起
リセットギヤ５０の欠け歯ギヤ部６８の左端面には、欠け歯ギヤ部６８における欠け歯部分７１を周面として有する部分上に、被検出突起８１が設けられている。
【００４８】
被検出突起８１は、本体部８１１および揺動部８１２を備えている。本体部８１１は、矩形板状をなし、リセットギヤ５０の回転に伴って被検出突起８１が描く円軌跡の接線方向（以下、単に「接線方向」という。）に沿って、欠け歯ギヤ部６８から左方に突出している。揺動部８１２の基端部には、中心軸線が接線方向に延びる円柱状の揺動軸部８１３が一体的に形成されている。そして、揺動部８１２は、回動軸の一例としての揺動軸部８１３が本体部８１１の先端部にその中心軸線を中心に回動可能に保持されている。これにより、被検出突起８１は、揺動部８１２が本体部８１１の先端部から左方に延びる起立姿勢（図１１に示される姿勢）と、揺動部８１２が本体部８１１に対してリセットギヤ５０の回転径方向の外側に９０°屈曲した倒伏姿勢（図４に示される姿勢）とに変位可能に設けられている。
２−４．ギヤカバー
ギヤカバー４３は、図３に示されるように、第１側壁４１に対して左側から対向する対向壁８２と、対向壁８２の周縁から第１側壁４１に向けて延びる周壁８３とを一体的に有している。ギヤカバー４３は、たとえば、樹脂からなる。
【００４９】
対向壁８２には、図３，５に示されるように、リセットギヤ５０に対して左側から対向する対向部８４が形成されている。対向部８４は、側面視円形状をなしている。
【００５０】
対向部８４の中央部には、丸孔８５が貫通して形成されている。そして、図５に示されるように、丸孔８５の周縁部からギヤカバー４３の内側（右方）に突出する略円筒状のボス部８６が形成されている。ボス部８６は、セットギヤ５０の円筒状ボス６９に挿入され、その先端部（右端部）は、回転軸６７の先端部内に挿入されている。
【００５１】
対向部８４の内面には、図５に示されるように、丸孔８５と同心の円形状をなす凹部８７が第１側壁４１側と反対側（左側）に一段凹んで形成されている。これにより、対向部８４の内面には、凹部８６の内外に連続する円筒状の壁面８８が形成されている。
【００５２】
壁面８８には、図２，５に示されるように、起立用カム部材の一例としての起立用カム部８９が内側に突出して形成されている。起立用カム部８９は、図２に示されるように、丸孔８５の前方の位置と丸孔８５の上方の位置との間に設けられ、側面視で中心角が約９０°の円弧状をなしている。また、起立用カム部８９は、丸孔８５の前方の位置から丸孔８５の上方の位置に近づくにつれて第１側壁４１から離れるように傾斜するスロープ状に形成されている。
【００５３】
そして、倒伏用カム部材の一例としての対向部８４には、壁面８８の内側に、壁面８８に沿った略円弧状の開口９０が形成されている。開口９０における対向部８４の径方向の内側の端縁と丸孔８５との間には、間隔が空けられており、その内側の端縁は、半円弧状の半円弧状部分９０１と、半円弧状部分９０１の回転方向Ｒ（後述する）の下流側に連続
し、リセットギヤ５０の回転に伴って被検出突起８１が描く円軌跡と交差する直線状に延びるエッジの一例としての直線状部分９０２とを有している。
【００５４】
また、対向壁８２には、入力ギヤ４５のカップリング部５４を露出させるための開口９１が形成されている。
３．検出機構
本体ケーシング２内には、図２に示されるように、被検出突起８１を検出するための検出機構１０１が備えられている。この検出機構１０１は、アクチュエータ１０２と、発光素子および受光素子の対からなる光学式センサ１０３とを含む。
【００５５】
アクチュエータ１０２は、左右方向に延びる揺動軸１０４と、揺動軸１０４から下方に延びる当接レバー１０５と、揺動軸１０４から後方に延びる遮光レバー１０６とを一体的に備えている。揺動軸１０４は、たとえば、本体ケーシング２の図示しない内壁部に回転可能に保持されている。当接レバー１０５と遮光レバー１０６とは、揺動軸１０４を中心として約８０°の角度をなして交差している。
【００５６】
そして、アクチュエータ１０２は、当接レバー１０５が揺動軸１０４から前下方に延び、遮光レバー１０６が後下方に延びる非検知姿勢（図２に示される姿勢）と、当接レバー１０５が後方に延び、遮光レバー１０６が後方に延びる検知姿勢（図１３に示される姿勢）とに揺動可能に設けられている。アクチュエータ１０２は、図示しないばねのばね力により、そのばね力以外の外力が加わらない状態で非検知姿勢となるように付勢されている。
【００５７】
光学式センサ１０３は、左右方向に互いに対向して配置される発光素子および受光素子を備えている。そして、光学式センサ１０３は、発光素子から受光素子に至る光路が非検知姿勢のアクチュエータ１０２の遮光レバー１０６により遮られ、アクチュエータ１０２が検知姿勢でその光路上から遮光レバー１０６が退避する位置に配置されている。発光素子から受光素子に至る光路上から遮光レバー１０６退避した（外れた）ときに、光学式センサ１０３からオン信号が出力される。
【００５８】
なお、光学式センサ１０３には、マイクロコンピュータ（図示せず）が電気的に接続されている。
４．現像カートリッジの新品検知
図３，４に示されるように、新品の現像カートリッジ７では、被検出突起８１がリセットギヤ５０の円筒状ボス６９（回転軸６７）の前下方の初期位置に配置されている。この初期位置において、被検出突起８１の約半分の部分がギヤカバー４３の内側に配置され、被検出突起８１が倒伏姿勢をなしている。また、リセットギヤ５０のギヤ歯７０の歯列における回転方向Ｒの最下流側のギヤ歯７０が、アジテータギヤ４９のギヤ歯６６と噛合している。
【００５９】
現像カートリッジ７が本体ケーシング２内に装着されると、レーザプリンタ１のウォームアップ動作が開始される。このウォームアップ動作では、入力ギヤ４５のカップリング部５４（結合凹部５５）に駆動出力部材５６（図２参照）が挿入されて、駆動出力部材５６から入力ギヤ４５に駆動力が入力され、入力ギヤ４５が回転する。そして、入力ギヤ４５の回転に伴って、現像ギヤ４６、供給ギヤ４７および中間ギヤ４８が回転し、現像ローラ１８および供給ローラ１９が回転する。また、中間ギヤ４８の回転に伴って、アジテータギヤ４９が回転し、アジテータ１６（図１参照）が回転する。このアジテータ１６の回転により、現像カートリッジ７内のトナーが攪拌される。
【００６０】
新品の現像カートリッジ７では、アジテータギヤ４９のギヤ歯６６とリセットギヤ５０
のギヤ歯７０とが噛合しているので、アジテータギヤ４９が回転すると、その回転に従動して、リセットギヤ５０が左側から見て反時計回りの回転方向Ｒに回転する。
【００６１】
本体ケーシング２内に対する新品の現像カートリッジ７の装着前および装着直後において、アクチュエータ１０２は、図２に示されるように、被検知姿勢をなし、当接レバー１０５がギヤカバー４３の開口９０と左右方向に対向し、光学式センサ１０３の光路が遮光レバー１０６により遮られている。これにより、光学式センサ１０３からは、オフ信号が出力されている。
【００６２】
リセットギヤ５０の回転に伴って、被検出突起８１は、回転方向Ｒに移動する。この移動の途中で、図６，７，８，９に示されるように、被検出突起８１の揺動部８１２が起立用カム部８９に当接する。そして、その後のリセットギヤ５０の回転に伴って、揺動部８１２は、起立用カム部８９から力を受け、この力により、本体部８１１に対して屈曲した姿勢から左方に延びる姿勢に変位する。その結果、被検出突起８１は、図１０，１１，１２に示されるように、倒伏姿勢から起立姿勢に変位する。
【００６３】
その後、リセットギヤ５０の回転が進むと、被検出突起８１が当接レバー１０５に当接する。リセットギヤ５０の回転がさらに進むと、被検出突起８１が当接レバー１０５を後方へ押圧し、図１３に示されるように、アクチュエータ１０２が被検知姿勢から検知姿勢となる。その結果、光学式センサ１０３の発光素子から受光素子に至る光路上から遮光レバー１０６が外れ、光学式センサ１０３からオン信号が出力される。これにより、光学式センサ１０３による被検出突起８１の検出が達成される。
【００６４】
リセットギヤ５０がさらに回転し、被検出突起８１が当接レバー１０５から離れると、アクチュエータ１０２が検知姿勢から被検知姿勢に戻る。その結果、光学式センサ１０３の発光素子から受光素子に至る光路が遮光レバー１０６により遮られ、光学式センサ１０３からの出力信号がオン信号からオフ信号に切り替わる。
【００６５】
そして、リセットギヤ５０がさらに回転すると、図１４に示されるように、被検出突起８１がギヤカバー４３の開口９０における回転方向Ｒの下流側の端縁、つまり直線状部分９０２に当接する。その後のリセットギヤ５０の回転により、被検出突起８１は、直線状部分９０２から力を受ける。この力により、被検出突起８１の揺動部８１２は、リセットギヤ５０の回転径方向の外側に屈曲しつつ、ギヤカバー４３の内側に入り込む。その結果、被検出突起８１は、図１５に示されるように、起立姿勢から倒伏姿勢に変位する。
【００６６】
その後、リセットギヤ５０の回転がさらに進むと、図１６に示されるように、リセットギヤ５０のギヤ歯７０とアジテータギヤ４９のギヤ歯６６との噛合が解除されて、リセットギヤ５０の欠け歯部分７１がギヤ歯６６に対向する。これにより、リセットギヤ５０の回転が停止し、被検出突起８１が終着位置に位置する。
【００６７】
このように、新品の現像カートリッジ７が本体ケーシング２内に初めて装着されると、光学式センサ１０３からオン信号が出力される。したがって、現像カートリッジ７が本体ケーシング２に装着された後、光学式センサ１０３からオン信号が出力された場合には、その現像カートリッジ７が新品であると判断することができる。
【００６８】
一方、旧品の現像カートリッジ７（本体ケーシング２内に一度は装着されたことがある現像カートリッジ７）が本体ケーシング２内に装着された場合には、リセットギヤ５０の回転位置がギヤ歯７０とギヤ歯６６との噛合がすでに解除されているので、レーザプリンタ１のウォームアップ動作が開始されても、リセットギヤ５０は回転しない。よって、現像カートリッジ７が本体ケーシング２に装着されてからの所定期間内に、光学式センサ１
０３からオン信号が出力されない場合には、その現像カートリッジ７が旧品であると判断することができる。
５．作用効果
５−１．作用効果１
以上のように、現像カートリッジ７の筐体には、入力ギヤ４５が設けられている。入力ギヤ４５は、外部から入力される回転駆動力によって回転する。入力ギヤ４５が回転すると、入力ギヤ４５から回転駆動力が出力される。また、現像カートリッジ７には、入力ギヤ４５から出力される回転駆動力を受けて回転するリセットギヤ５０が備えられている。
【００６９】
リセットギヤ５０における回転中心から外れた位置に、被検出突起８１が設けられている。被検出突起８１は、リセットギヤ５０に対して起立した起立姿勢と倒伏した倒伏姿勢とに変位可能である。
【００７０】
そのため、本体ケーシングに対する現像カートリッジ７の着脱時などに、被検出突起８１が倒伏姿勢をなしていれば、被検出突起８１が他の部材に接触することを低減でき、その接触による被検出突起８１の摩耗や損傷を低減できる。
【００７１】
たとえ被検出突起８１が起立姿勢をなしていても、被検出突起８１が他の部材に当接して、被検出突起８１に力が加わると、被検出突起８１が起立姿勢から倒伏姿勢に変位する。よって、被検出突起８１が強く擦れることを低減でき、被検出突起８１の摩耗を低減することができる。また、被検出突起８１に加わる力を逃がすことができるので、被検出突起８１の損傷を低減することができる。
５−２．作用効果２
被検出突起８１は、リセットギヤ５０が回転する前の初期位置、つまりリセットギヤ５０が入力ギヤ４５から出力される回転駆動力を受ける前の初期位置に位置する状態で、倒伏姿勢をなしている。
【００７２】
そのため、現像カートリッジ７の持ち運び時や本体ケーシング２に対する現像カートリッジ７の装着時などに、被検出突起８１が他の部材に接触することを低減でき、その接触による被検出突起８１の摩耗や損傷を低減できる。
５−３．作用効果３
被検出突起８１は、揺動軸部８１３を中心として回動可能に設けられている。そして、揺動軸部８１３は、リセットギヤ５０の回転に伴って被検出突起８１が描く円軌跡の接線方向に延びている。
【００７３】
そのため、被検出突起８１をその円軌跡上で起立した状態と円軌跡の径方向に倒伏した状態とに変位させることができる。
５−４．作用効果４
現像カートリッジ７には、被検出突起８１を倒伏姿勢から起立姿勢に変位させるための起立用カム部８９が設けられている。
【００７４】
これにより、本体ケーシング２内に現像カートリッジ７が装着された後、リセットギヤ５０が回転されるときに、被検出突起８１を倒伏姿勢から起立姿勢に変位させることができ、起立姿勢をなす被検出突起８１を検出機構１０１によって検出することができる。
５−５．作用効果５
現像カートリッジ７には、入力ギヤ４５から出力される回転駆動力をリセットギヤ５０に伝達するためのアジテータギヤ４９が備えられている。リセットギヤ５０には、アジテータギヤ４９から回転駆動力が伝達される欠け歯ギヤ部６８が形成されている。そして、少なくとも被検出突起８１が終着位置に位置する状態では、アジテータギヤ４９から欠け歯ギヤ部６８への回転駆動力の伝達が切断される。
【００７５】
これにより、被検出突起８１を終着位置で停止させ、被検出突起８１が終着位置で停止した状態を維持することができる。
５−６．作用効果６
現像カートリッジ７には、被検出突起８１を起立姿勢から倒伏姿勢に変位させるための直線状部分９０２を有する対向部８４が設けられている。
【００７６】
これにより、被検出突起８１を起立姿勢から倒伏姿勢に変位させることができ、被検出突起８１を終着位置において倒伏姿勢とすることができる。よって、本体ケーシング２内から現像カートリッジ７が離脱されるときに、被検出突起８１が他の部材に接触することを低減でき、その接触による被検出突起８１の摩耗や損傷を低減できる。
５−７．作用効果７
直線状部分９０２は、リセットギヤ５０の回転に伴って移動する被検出突起８１が倒伏用カム部材と最初に当接する部分が描く円軌跡と交差している。そのため、リセットギヤ５０の回転に伴って、被検出突起８１が直線状部分９０２に摺擦しつつ移動することにより、被検出突起８１が起立姿勢から倒伏姿勢に良好に変位する。
６．変形例
以上、本発明の一実施形態について説明したが、本発明は、前述の構成に限定されるものではない。
【００７７】
前述の構成では、図１５に示されるように、被検出突起８１は、終着位置に位置する状態において、倒伏姿勢をなす。
【００７８】
しかしながら、図１７に示されるように、被検出突起８１は、終着位置に位置する状態において、起立姿勢をなしてもよい。この場合、被検出突起８１が終着位置に位置する状態において、揺動軸部８１３の中心軸線が本体ケーシング２に対する現像カートリッジ７の着脱方向Ａとほぼ直交する方向に延びるように、その終着位置が定められていることが好ましい。
【００７９】
これにより、本体ケーシング２内から現像カートリッジ７が離脱されるときに、被検出突起８１が他の部材に当接して、被検出突起８１に力が加わると、被検出突起８１が起立姿勢から倒伏姿勢に変位する。よって、被検出突起８１が強く擦れることを低減でき、被検出突起８１の摩耗を低減することができる。また、被検出突起８１に加わる力を逃がすことができるので、被検出突起８１の損傷を低減することができる。
【００８０】
また、前述の実施形態に係る構成では、リセットギヤ５０が欠け歯ギヤ部６８を有し、その欠け歯ギヤ部６８の外周面にギヤ歯７０が形成されている。
【００８１】
欠け歯ギヤ部６８に代えて、たとえば、図１８に示されるように、円筒状ボス６９を中心とする扇形板状の本体１８１と、少なくとも外周面がゴムなどの摩擦係数が比較的大きい材料により形成され、本体１８１の外周に巻回される抵抗付与部材１８２とが設けられてもよい。この場合、アジテータギヤ４９の小径ギヤ部６５の周面には、ギヤ歯が形成されていてもよいし、ギヤ歯が形成されていなくてもよい。そして、本体１８１および抵抗付与部材１８２は、抵抗付与部材１８２の外周面における相対的に径方向の内側に入り込んだ部分１８２Ｂが小径ギヤ部６５と接触せず、その外周面における相対的に径方向の外側に配置される円弧面１８２Ａが小径ギヤ部６５の周面と接触するサイズに形成される。
【００８２】
また、前述の実施形態に係る構成では、現像カートリッジ７はギヤカバー４３を有しているが、リセットギヤ５０に設けられた被検出突起８１が起立姿勢と倒伏姿勢とに変位可能であれば、ギヤカバー７０が省略（リセットギヤ５０が露出した構成）されていてもよ
い。
【００８３】
その他、特許請求の範囲に記載された事項の範囲で種々の設計変更を施すことが可能である。
【符号の説明】
【００８４】
２      本体ケーシング
７      現像カートリッジ
４５    入力ギヤ
５０    リセットギヤ
６８    欠け歯ギヤ部
８１    被検出突起
８４    対向部
８１３  揺動軸部
９０２  直線状部分
【図１】
0005967278.tif 000002
【図２】
0005967278.tif 000003
【図３】
0005967278.tif 000004
【図４】
0005967278.tif 000005
【図５】
0005967278.tif 000006
【図６】
0005967278.tif 000007
【図７】
0005967278.tif 000008
【図８】
0005967278.tif 000009
【図９】
0005967278.tif 000010
【図１０】
0005967278.tif 000011
【図１１】
0005967278.tif 000012
【図１２】
0005967278.tif 000013
【図１３】
0005967278.tif 000014
【図１４】
0005967278.tif 000015
【図１５】
0005967278.tif 000016
【図１６】
0005967278.tif 000017
【図１７】
0005967278.tif 000018
【図１８】
0005967278.tif 000019